(57)【特許請求の範囲】
【請求項１】
平坦部と前記平坦部よりも目視側に突出する部位とを有し、その突出した部位に文字および目盛からなる指標が形成されてなる表示板と、
前記平坦部に対して目視側に突出するように前記突出した部位の外周側に配置され、透光性を有する表示部材であって、光が透過可能な第１表示意匠部が外周側に形成されている表示部材と、
前記表示板の背後に配置され、前記表示部材を透過照明する第１光源と、
前記表示板の前記平坦部よりも目視側に突出するように、且つ前記表示部材よりも外周側に配置され、前記表示部材からの光を目視側へ反射するとともに、背面側からの光を目視側へ透過する反射部材であって、背面側から入射する光が透過可能な第２表示意匠部が背面に形成されている反射部材と、
前記反射部材の背後に配置され、前記反射部材の前記第２表示意匠部を透過照明する第２光源と、を備え、
前記第１光源が点燈し、前記第１表示意匠部を透過照明した前記第１光源からの光が前記反射部材にて反射されることによって、前記第１表示意匠部を虚像として目視させ、前記第２光源が点燈し、前記第２表示意匠部を透過照明した前記第２光源からの光が前記反射部材を透過されることによって、前記第２表示意匠部を実像として目視させ、前記表示板に対する前記第１表示意匠部の第１傾斜角度を、該表示板に対する該第１表示意匠部の前記虚像の第２傾斜角度より大きく設定しており、
前記反射部材は、第２透光性部と、該第２透光性部の目視側全面に形成され且つ前記表示部材を透過照明した前記第１光源からの光を前記目視側へ反射するハーフミラー層と、該第１透光性部の背面に形成され且つ前記第２表示意匠部として第２開口部を有する第２不透光層とを備え、
前記ハーフミラー層の透光性は、前記反射部材を透過した前記第２光源からの光が前記第２表示意匠部の実像として目視されるように調整され、且つ、該ハーフミラー層が該第２光源の消燈時にミラー状態で目視されるように調整され、
前記表示部材は、第１透光性部と、該第１透光性部の前記反射部材側前面に形成され且つ前記第１表示意匠部として第１開口部を有する第１不透光層と、該第１不透光層の上面に形成された半透光層とを備え、
前記半透光層の透光性は、前記表示部材を透過した前記第１光源からの光が前記反射部材で反射して前記第１表示意匠部の前記虚像として目視されるように調整され、且つ、該半透光層が該第１光源の消燈時に該半透光層の表示色の状態で目視されるように調整されていることを特徴とする表示装置。
【請求項２】
前記第１傾斜角度を、略９０度に設定し、
前記第２傾斜角度を、略０度に設定していることを特徴とする請求項１に記載の表示装置。
【請求項３】
前記表示板の目視側前面に沿って回動することにより、前記指標を指し示す指針を備え、
前記反射部材は、前記指標の外枠を形成する加飾部の少なくとも一部として構成されていることを特徴とする請求項１または請求項２に記載の表示装置。
【請求項４】
前記表示部材と前記反射部材の少なくとも一方は、前記表示板と一体的に形成されていることを特徴とする請求項１ないし請求項３のいずれか一項に記載の表示装置。
【請求項５】
前記第２透光性部に光を入射させる第３光源を備え、
前記反射部材は、前記第２透光性部に入射した前記第３光源からの光を前記ハーフミラー層を通して前記目視側へ反射するように形成され、
前記ハーフミラー層の透光性は、該ハーフミラー層を通して前記目視側へ反射した前記第３光源からの光が前記反射部材の発光表示として目視されるように調整され、且つ、該ハーフミラー層が該第３光源の消燈時にミラー状態で目視されるように調整されていることを特徴とする請求項１ないし請求項４のいずれか一項に記載の表示装置。
【請求項６】
前記第１光源と前記第３光源の点燈・消燈の制御を行う制御手段を備え、
前記制御手段は、前記第１光源の点燈時に前記第３光源を消燈するように構成され、且つ、前記第１光源の消燈時に前記第３光源を点燈するように構成されていることを特徴とする請求項５に記載の表示装置。
【請求項７】
前記第１光源と前記第３光源の点燈・消燈の制御を行う制御手段を備え、
前記制御手段は、前記第１光源の点燈時に前記第３光源を点燈するように構成され、且つ、前記第１光源の消燈時に前記第３光源を消燈するように構成され、
前記反射部材からの前記発光表示の色調が前記第１表示意匠部の前記虚像の色調と少なくとも類似するように構成されていることを特徴とする請求項５に記載の表示装置。
【請求項８】
前記第１光源と前記第２光源の点燈・消燈の制御を互いに交互に行うことによって、重なって目視される前記第１表示意匠部の前記虚像と前記第２表示意匠部の前記実像を、互いに交互に点滅させて目視させる制御手段を備えることを特徴とする請求項１ないし請求項７のいずれか一項に記載の表示装置。
【請求項９】
前記第２透光性部に光を入射させる第３光源を備え、
前記反射部材は、前記第２透光性部に入射した前記第３光源からの光を前記ハーフミラー層を通して前記目視側へ反射するように形成され、
前記ハーフミラー層の透光性は、該ハーフミラー層を通して前記目視側へ反射した前記第３光源からの光が前記反射部材の発光表示として目視されるように調整され、且つ、該反射部材を透過した前記第２光源からの光が前記第２表示意匠部の実像として目視されるように調整され、且つ、該ハーフミラー層が該第２光源と該第３光源の消燈時にミラー状態で目視されるように調整されていることを特徴とする請求項１ないし請求項４のいずれか一項に記載の表示装置。
【請求項１０】
前記第１光源と前記第２光源と前記第３光源の点燈・消燈の制御を行う制御手段を備え、
前記制御手段は、前記第１光源と前記第２光源のいずれかが点燈している際に前記第３光源を消燈するように構成され、且つ、前記第１光源と前記第２光源の両方が消燈している際に前記第３光源を点燈するように構成されていることを特徴とする請求項９に記載の表示装置。
【請求項１１】
前記第１光源と前記第２光源と前記第３光源の点燈・消燈の制御を行う制御手段を備え、
前記制御手段は、前記第１光源と前記第２光源のいずれかが点燈している際に前記第３光源を点燈するように構成され、且つ、前記第１光源と前記第２光源の両方が消燈している際に前記第３光源を消燈するように構成され、
前記反射部材からの前記発光表示の色調が前記第１表示意匠部の前記虚像と前記第２表示意匠部の前記実像のいずれかの色調と少なくとも類似するように構成されていることを特徴とする請求項９に記載の表示装置。
【請求項１２】
前記第１表示意匠部は、前記表示装置が配置される自車両に備わる機器の作動状態を報知するインジケータを表す記号と該自車両の異常を警告するウォーニングを表す記号の少なくとも一つを備えることを特徴とする請求項１ないし請求項１１のいずれか一項に記載の表示装置。
【請求項１３】
前記第２表示意匠部は、前記表示装置が配置される自車両に備わる機器の作動状態を報知するインジケータを表す記号と該自車両の異常を警告するウォーニングを表す記号の少なくとも一つを備えることを特徴とする請求項１ないし請求項１２のいずれか一項に記載の表示装置。
【請求項１４】
前記第１開口部は、前記第１透光性部に形成された前記第１不透光層にレーザビームを照射することによって該第１不透光層に形成されることを特徴とする請求項１ないし請求項１３のいずれか一項に記載の表示装置。
【請求項１５】
前記第１開口部が形成された前記第１不透光層と前記半透光層と前記表示部材は、該第１不透光層と該半透光層が形成された透光性の熱可塑性樹脂フィルムを金型にインサートした状態で樹脂成型することによって形成されることを特徴とする請求項１ないし請求項１４のいずれか一項に記載の表示装置。
【請求項１６】
前記第１開口部が形成された前記第１不透光層は、ゴム状のパッドを前記第１透光性部に押し当てて該パッドに転写されているインクを該第１透光性部に転写することによって形成されることを特徴とする請求項１ないし請求項１５のいずれか一項に記載の表示装置。
【発明の詳細な説明】
【技術分野】
【０００１】
本発明は、限られたスペースで多くの情報を表示する表示装置に関するものである。
【背景技術】
【０００２】
近年、車両用の表示装置では、限られたスペースで多くの情報を表示するため、様々な方法が提案されている。
【０００３】
例えば、加飾部のスペースを利用して、当該車両に備わる機器の作動状態を報知するインジケータや当該車両の異常を警告するウォーニングを表示する車両用の表示装置が提案されている（特許文献１を参照）。
【０００４】
この表示装置は、文字や目盛を包含する指標が形成された表示板と、表示板の目視側前面に沿って回動する指針と、指標の外枠を形成してこれらを加飾する加飾部とを備えた指針計器として構成される。加飾部は、表示板から目視側へ突出するリング形状の突出部として形成され、この加飾部の領域内にインジケータやウォーニングを設ける。
【０００５】
具体的には、加飾部に複数の開口を設け、この加飾部の背後に、インジケータやウォーニングを表すマークを、この開口を通して目視できるように形成し、各マークの背後に、透過照明用の発光ダイオードを設ける。各発光ダイオードを点灯させることによって、必要なマークを発光させて、このマークが表すインジケータやウォーニングを運転者に知らせるものである。
【０００６】
これにより、この表示装置では、加飾部のスペースを利用して、多くのインジケータやウォーニングを知らせることができる。
【特許文献１】特開２００２−９８５５９号公報
【発明の開示】
【発明が解決しようとする課題】
【０００７】
しかし、特許文献１による表示装置では、各マークは、加飾部の各開口から目視できるように構成され、発光ダイオードの点灯と消灯の切り替えによって、発光状態と非発光状態で切り替わる。従って、この加飾部は、発光ダイオードの発光と消灯の切り替えとは無関係に、加飾する部分と各マークの部分が混在した状態となる。即ち、各マークを形成するスペースが必要であるため、加飾部は、このスペース分だけその機能を損なわざるを得ない状態となり、充分に加飾機能を発揮できない。
【０００８】
この問題は、インジケータやウォーニングの表示に限るものではなく、指標や他の記号を包含する表示意匠部を加飾部に表示しようとする場合に共通する問題である。
【０００９】
また、この問題は、表示意匠部を加飾部に表示する場合に限るものではなく、表示板内において加飾部以外の他のスペースに表示しようとする場合に共通する問題である。
【００１０】
また、この問題は、指針を備えた指針計器に限るものではなく、表示装置に共通する問題である。
【００１１】
本発明は、上記点に鑑みてなされたものであり、表示意匠部をより小さいスペースに形成することができる表示装置を提供することを目的とする。
【課題を解決するための手段】
【００１２】
本発明は上記目的を達成するため、以下の技術的手段を採用する。
【００１３】
請求項１に記載の表示装置は、平坦部と平坦部よりも目視側に突出する部位とを有し、その突出した部位に文字および目盛からなる指標が形成されてなる表示板と、平坦部に対して目視側に突出するように突出した部位の外周側に配置され、透光性を有する表示部材であって、光が透過可能な第１表示意匠部が外周側に形成されている表示部材と、表示板の背後に配置され、表示部材を透過照明する第１光源と、表示板の平坦部よりも目視側に突出するように、且つ表示部材よりも外周側に配置され、表示部材からの光を目視側へ反射するとともに、背面側からの光を目視側へ透過する反射部材であって、背面側から入射する光が透過可能な第２表示意匠部が背面に形成されている反射部材と、反射部材の背後に配置され、反射部材の第２表示意匠部を透過照明する第２光源と、を備え、第１光源が点燈し、第１表示意匠部を透過照明した第１光源からの光が反射部材にて反射されることによって、第１表示意匠部を虚像として目視させ、第２光源が点燈し、第２表示意匠部を透過照明した第２光源からの光が反射部材を透過されることによって、第２表示意匠部を実像として目視させ、表示板に対する第１表示意匠部の第１傾斜角度を、該表示板に対する該第１表示意匠部の虚像の第２傾斜角度より大きく設定しており、反射部材は、第２透光性部と、該第２透光性部の目視側全面に形成され且つ表示部材を透過照明した第１光源からの光を目視側へ反射するハーフミラー層と、該第１透光性部の背面に形成され且つ第２表示意匠部として第２開口部を有する第２不透光層とを備え、ハーフミラー層の透光性は、反射部材を透過した第２光源からの光が第２表示意匠部の実像として目視されるように調整され、且つ、該ハーフミラー層が該第２光源の消燈時にミラー状態で目視されるように調整され、表示部材は、第１透光性部と、該第１透光性部の反射部材側前面に形成され且つ第１表示意匠部として第１開口部を有する第１不透光層と、該第１不透光層の上面に形成された半透光層とを備え、半透光層の透光性は、表示部材を透過した第１光源からの光が反射部材で反射して第１表示意匠部の虚像として目視されるように調整され、且つ、該半透光層が該第１光源の消燈時に該半透光層の表示色の状態で目視されるように調整されていることを特徴とする。
【００１４】
この構成では、表示板に対して、第１表示意匠部の第１傾斜角度を、第１表示意匠部の虚像の第２傾斜角度より大きく設定している。これにより、第１表示意匠部を、目視させる第１表示意匠部の虚像より傾斜させて形成することになるため、目視側から見て、目視させる第１表示意匠部の虚像が必要とするスペースと比較して、第１表示意匠部をより小さいスペースに形成することができる。即ち、表示意匠部として、第１表示意匠部をより小さいスペースに形成することができる表示装置を提供することができる。また、反射部材を透過照明する第２光源を設け、反射部材が、第２透光性部と、ハーフミラー層と、第２表示意匠部として第２開口部を有する第２不透光層とを備える。さらに、ハーフミラー層の透光性が、反射部材を透過した第２光源からの光が第２表示意匠部の実像として目視されるように調整され、且つ、ハーフミラー層が第２光源の消燈時にミラー状態で目視されるように調整されている。これにより、上述の効果に加えて、反射部材のスペースを有効に利用して、第２表示意匠部を実像として目視させることができる。加えて、表示部材が、第１透光性部と、第１表示意匠部として第１開口部を有する第１不透光層と、第１不透光層の上面に形成された半透光層とを備える。また、半透光層の透光性が、表示部材を透過した第１光源からの光が反射部材で反射して第１表示意匠部の虚像として目視されるように調整され、且つ、半透光層が第１光源の消燈時に半透光層の表示色の状態で目視されるように調整されている。これにより、上述の効果を得つつ、第１光源の消燈時に、第１表示意匠部が第１透光性部上で実像として目視できないようにすることができる。
【００１５】
請求項２に記載の表示装置は、第１傾斜角度を略９０度に設定し、第２傾斜角度を略０度に設定していることを特徴とする。
【００１６】
これにより、第１表示意匠部を形成するスペースを、目視側から見て略不要とするように形成することができる。即ち、表示意匠部として、第１表示意匠部を略零に等しいスペースに形成することができる表示装置を提供することができる。
【００１７】
請求項３に記載の表示装置は、表示板の目視側前面に沿って回動することにより、指標を指し示す指針を備え、反射部材は、指標の外枠を形成する加飾部の少なくとも一部として構成されていることを特徴とする。
【００１８】
この構成では、反射部材が、指標の外枠を形成する加飾部の少なくとも一部として構成されている。これにより、上述の効果に加え、加飾部のスペースを有効に利用して、第１表示意匠部を虚像として目視させることができる。
【００１９】
請求項４に記載の表示装置は、表示部材と反射部材の少なくとも一方は、表示板と一体的に形成されていることを特徴とする。
【００２０】
これにより、上述の効果を低コストで得ることができる。
【００２１】
請求項５に記載の表示装置は、第１透光性部に光を入射させる第３光源を備え、反射部材が、第２透光性部に入射した第３光源からの光をハーフミラー層を通して目視側へ反射するように形成され、ハーフミラー層の透光性が、ハーフミラー層を通して目視側へ反射した第３光源からの光が反射部材の発光表示として目視されるように調整され、且つ、ハーフミラー層が第３光源の消燈時にミラー状態で目視されるように調整されていることを特徴とする。
【００２２】
この構成では、反射部材が、第２透光性部とハーフミラー層とを備え、第２透光性部に光を入射させる第３光源が設けられる。また、ハーフミラー層の透光性が、第３光源からの光が反射部材の発光表示として目視されるように調整され、且つ、ハーフミラー層が第３光源の消燈時にミラー状態で目視されるように調整されている。これにより、上述の効果に加えて、反射部材の発光表示による加飾機能を反射部材に対して付加させることができる。
【００２３】
請求項６に記載の表示装置は、第１光源と第３光源の点燈・消燈の制御を行う制御手段を備え、制御手段が、第１光源の点燈時に第３光源を消燈するように構成され、且つ、第１光源の消燈時に第３光源を点燈するように構成されていることを特徴とする。
【００２４】
この構成では、第１光源の点燈時に第３光源を消燈し、第１光源の消燈時に第３光源を点燈するため、第１表示意匠部を虚像として目視させる場合と、反射部材の発光表示により加飾する場合とをより明確に区別することができる。これにより、上述の効果に加えて、第１表示意匠部が虚像として表示されていることをより認識し易くできる。
【００２５】
請求項７に記載の表示装置は、第１光源と第３光源の点燈・消燈の制御を行う制御手段を備え、制御手段が、第１光源の点燈時に第３光源を点燈するように構成され、且つ、第１光源の消燈時に第３光源を消燈するように構成され、反射部材の発光表示の色調が第１表示意匠部の虚像の色調と少なくとも類似するように構成されていることを特徴とする。
【００２６】
この構成では、反射部材の発光表示の色調（色相、明度、彩度）が第１表示意匠部の虚像の色調と少なくとも類似するため、上述の効果に加えて、第１表示意匠部が虚像として表示されていることをより認識し易くできる。
【００３０】
請求項８に記載の表示装置は、第１光源と第２光源の点燈・消燈の制御を互いに交互に行うことによって、重なって目視される第１表示意匠部の虚像と第２表示意匠部の実像を、互いに交互に点滅させて目視させる制御手段を備える。
【００３１】
この構成では、重なって目視される第１表示意匠部の虚像と第２表示意匠部の実像を、互いに交互に点滅させて目視させるため、重なって目視される両者を区別して認識させることができる。
【００３２】
請求項９に記載の表示装置は、第２透光性部に光を入射させる第３光源とを備え、反射部材が、第２透光性部に入射した第３光源からの光をハーフミラー層を通して目視側へ反射するように形成され、ハーフミラー層の透光性が、ハーフミラー層を通して目視側へ反射した第３光源からの光が前記反射部材の発光表示として目視されるように調整され、且つ、該反射部材を透過した前記第２光源からの光が前記第２表示意匠部の実像として目視されるように調整され、且つ、ハーフミラー層が第２光源と第３光源の消燈時にミラー状態で目視されるように調整されていることを特徴とする。
【００３３】
これにより、上述の効果に加えて、反射部材の発光表示による加飾機能を反射部材に対して付加させることができると共に、反射部材に第２表示意匠部を実像として目視させることができる。
【００３４】
請求項１０に記載の表示装置は、第１光源と第２光源と第３光源の点燈・消燈の制御を行う制御手段を備え、制御手段が、第１光源と第２光源のいずれかが点燈している際に第３光源を消燈するように構成され、且つ、第１光源と第２光源の両方が消燈している際に第３光源を点燈するように構成されていることを特徴とする。
【００３５】
これにより、上述の効果に加えて、第１表示意匠部が虚像としてまたは第２表示意匠部が実像として表示されていることをより認識し易くできる。
【００３６】
請求項１１に記載の表示装置は、第１光源と第２光源と第３光源の点燈・消燈の制御を行う制御手段を備え、制御手段が、第１光源と第２光源のいずれかが点燈している際に第３光源を点燈するように構成され、且つ、第１光源と第２光源の両方が消燈している際に第３光源を消燈するように構成され、反射部材からの発光表示の色調が第１表示意匠部の虚像と第２表示意匠部の実像のいずれかの色調と少なくとも類似するように構成されていることを特徴とする。
【００３７】
これにより、上述の効果に加えて、第１表示意匠部が虚像としてまたは第２表示意匠部が実像として表示されていることをより認識し易くできる。
【００３８】
請求項１２に記載の表示装置は、第１表示意匠部が、表示装置が配置される自車両に備わる機器の作動状態を報知するインジケータを表す記号と自車両の異常を警告するウォーニングを表す記号の少なくとも一つを備えることを特徴とする。
【００３９】
この構成では、第１表示意匠部がインジケータを表す記号とウォーニングを表す記号の少なくとも一つを備えるため、この記号をより小さいスペースに形成することができる表示装置を提供することができる。
【００４０】
請求項１３に記載の表示装置は、第２表示意匠部が、表示装置が配置される自車両に備わる機器の作動状態を報知するインジケータを表す記号と自車両の異常を警告するウォーニングを表す記号の少なくとも一つを備えることを特徴とする。
【００４１】
この構成では、第２表示意匠部がインジケータを表す記号とウォーニングを表す記号の少なくとも一つを備えるため、反射部材のスペースを有効に利用して、この記号を表示することが可能となる。
【００４５】
請求項１４に記載の表示装置は、第１開口部が、第１透光性部に形成された第１不透光層にレーザビームを照射することによって第１不透光層に形成されることを特徴とする。
【００４６】
これにより、第１傾斜角度が大きい場合においても、複雑な形状の第１開口部を形成することができる。
【００４７】
請求項１５に記載の表示装置は、第１開口部が形成された第１不透光層と半透光層と表示部材が、第１不透光層と半透光層が形成された透光性の熱可塑性樹脂フィルムを金型にインサートした状態で樹脂成型することによって形成されることを特徴とする。
【００４８】
これにより、第１傾斜角度が大きい場合においても、複雑な形状の第１開口部を形成することができる。
【００４９】
請求項１６に記載の表示装置は、第１開口部が形成された第１不透光層が、ゴム状のパッドを第１透光性部に押し当ててパッドに転写されているインクを第１透光性部に転写することによって形成されることを特徴とする。
【００５０】
これにより、第１傾斜角度が大きい場合においても、複雑な形状の第１開口部を形成することができる。
【発明を実施するための最良の形態】
【００５１】
以下、本発明による表示装置を、自動車に搭載されるコンビネーションメータ１に適用した場合を例に図面に基づいて説明する。
【００５２】
（構成）
図１は、本発明の一実施形態による表示装置であるコンビネーションメータ１の正面図である。
【００５３】
図２は、図１中のＩＩ−ＩＩ線断面図である。
【００５４】
図３（ａ）は、図２中のＩＩＩＡ部の拡大断面図であり、図３（ｂ）は、図３（ａ）に示す第１表示意匠部である記号３３の配置を説明する模式図である。
【００５５】
図４は、本発明の一実施形態によるコンビネーションメータ１の電気回路構成を説明する回路構成図である。
【００５６】
本発明の一実施形態による表示装置であるコンビネーションメータ１は、当該自動車の運転席の前方で運転者が目視可能な位置に配設され、当該自動車に関する各種情報を表示する。
【００５７】
本実施形態によるコンビネーションメータ１は、当該自動車の走行速度を指示する速度計と、当該自動車に備わる機器の作動状態を報知するインジケータと、当該自動車の異常を警告するウォーニングとを備える。以下、インジケータとウォーニングを合わせてインジケータ／ウォーニングと称する。
【００５８】
速度計は、図１において、指標である文字２１と目盛２２が形成された表示板である文字盤２と、その目視側前面（図２において上側の面）に沿って回動する指針５とを備え、指針５が指し示す文字２１と目盛２２により速度を指示するように構成される。
【００５９】
リング形状の反射部材である加飾部４が、文字２１と目盛２２の外枠を形成し、各インジケータ／ウォーニングを表す第１表示意匠部である記号３３と第２表示意匠部である記号４３は、加飾部４に表示されるように構成される。
【００６０】
以下、速度計について説明する。
【００６１】
文字２１と目盛２２は、図３に示すように、文字２１と目盛２２の背景を構成する背景層２４の開口として形成される。具体的に、透明なポリカーボネート樹脂等の透光性樹脂基板２０の目視側前面（図３において上側の面）に、透光性で白色の指標層２３を形成し、指標層２３の上面に不透光性で黒色の背景層２４を形成する。即ち、文字２１と目盛２２は、背景層２４の開口を通して目視される指標層２３として形成される。
【００６２】
尚、文字盤２は、文字２１と目盛２２が形成された部位が目視側（図３において上側）へ突出するように形成される。
【００６３】
文字盤２と加飾部４の間には、表示部材である立ち壁部３がリング形状に形成される。立ち壁部３は、第１透光性部３０と、記号３３として第１開口部３３を有する黒色の第１不透光層３２と、金属調（銀色）の半透光層３１とを備える。第１不透光層３２は、第１透光性部３０の加飾部４側前面（図３において左側）に形成され、半透光層３１は、１不透光層３２の上面（図３において左側の面）に形成される。
【００６４】
半透光層３１の透光性は、立ち壁部３を透過した後述する第１光源である発光ダイオード６３からの光が加飾部４で反射して記号３３の虚像３３ａとして目視されるように調整され、且つ、半透光層３１が発光ダイオード６３の消燈時に半透光層３１の表示色である金属調の状態で目視されるように調整される。
【００６５】
尚。図２と図３において、虚像３３ａを破線矢印３３ａとして示し、記号（第１開口部）３３を実線矢印３３として示す。
【００６６】
立ち壁部３は、文字盤２の目視側へ突出していない部位（平坦部）に対して略９０度で形成され、これにより、記号（第１開口部）３３は、文字盤２の平坦部に対して略９０度で形成される。即ち、文字盤２に対する記号３３の第１傾斜角度Ａ１は、図３（ｂ）に示すように略９０度に設定される。
【００６７】
加飾部４は、第２透光性部４０と、立ち壁部３を透過照明した発光ダイオード６３からの光を目視側（図３において上側）へ反射するハーフミラー層４１と、記号４３として第２開口部４３を有する黒色の第２不透光層４２とを備える。ハーフミラー層４１は、第２透光性部４０の目視側前面（図３において上側の面）に形成され、第２不透光層４２は、第２透光性部４０の背面（図３において下側の面）に形成される。
【００６８】
尚、記号４３として形成された第２開口部４３が図３（ａ）に示すように文字盤２の平坦部に対して傾斜しているため、第２開口部４３の形状は、記号４３を予定した形状で目視できるように形成される。図２と図３（ａ）において、記号（第２開口部）４３を、実線矢印４３として示す。
【００６９】
ハーフミラー層４１は、立ち壁部３を透過照明した発光ダイオード６３からの光を目視側へ反射することによって記号３３を虚像３３ａとして目視させる。ハーフミラー層４１の透光性は、加飾部４を透過した後述する第２光源である発光ダイオード６４からの光が記号４３の実像として目視されるように調整され、且つ、ハーフミラー層４１が発光ダイオード６４の消燈時にミラー状態で目視されるように調整される。
【００７０】
文字盤２の平坦部に対する記号３３の虚像３３ａの第２傾斜角度Ａ２が略０度に設定されるように、加飾部４（ハーフミラー層４１）を、文字盤２の平坦部に対して傾斜させて形成する。即ち、文字盤２に対する記号３３の虚像３３ａの第２傾斜角度Ａ２は、図３（ｂ）に示すように略０度に設定される。
【００７１】
指標層２３、背景層２４、ハーフミラー層４１および第２不透光層４２は、スクリーン印刷やホットスタンプ印刷等によって形成される。板状の透光性樹脂基板２０の目視側前面側に、指標層２３とこの上面に背景層２４、および、ハーフミラー層４１を形成し、透光性樹脂基板２０の背面側に、第２不透光層４２を形成する。
【００７２】
この後、板状の透光性樹脂基板２０を圧空成型（絞り成型の一種）等することによって、文字盤２において文字２１や目盛２２が形成された部位と加飾部４とを、図１に示すリング形状であって文字盤２の平坦部に対して目視側へ突出させる形状に形成する。この時、立ち壁部３を、文字盤２の平坦部に対して略９０度で形成する。
【００７３】
即ち、第１透光性部３０と第２透光性部４０は、透光性樹脂基板２０から一体成型により一体的に形成される。つまり、立ち壁部３と加飾部４は、文字盤２と一体的に形成される。
【００７４】
尚、立ち壁部３は、文字盤２の平坦部に対して略９０度で形成されている。このため、半透光層３１と第１不透光層３２を形成した後に圧空成型等すると、記号３３の形状が損なわれる恐れがあるため、半透光層３１と第１不透光層３２を、圧空成型等の後に形成する。
【００７５】
例えば、立ち壁状の第１透光性部３０に対して第１不透光層３２を塗装等で形成した後、第１開口部３３を、第１透光性部３０に形成された第１不透光層３２にレーザビームを照射することによって形成する。即ち、レーザビームを照射した部位の第１不透光層を蒸発させて除去し、これによって、この部位に第１開口部３３を形成する。この後、半透光層３１を、第１不透光層３２上に塗装等で形成する。
【００７６】
または、いわゆる転写を用いることによって半透光層３１と第１不透光層３２を第１透光性部３０に形成する。
【００７７】
具体的には、第１開口部３３を有する第１不透光層３２の形状パターンが形成された凹版に、第１不透光層３２用のインクを塗布し、ブレードで余分のインクを掻き取る。ゴム状のパッドを凹版に押し当て凹版のインクをパッドに転写し、パッドを第１透光性部３０に押し当ててパッドに転写されているインクを第１透光性部３０に転写する。これにより、第１開口部３３を有する第１不透光層３２を、立ち壁状の第１透光性部３０に対して形成する。
【００７８】
同様にして、半透光層３１の形状パターンが形成された凹版に、半透光層３１用のインクを塗布し、ブレードで余分のインクを掻き取る。ゴム状のパッドを凹版に押し当て凹版のインクをパッドに転写し、パッドを第１不透光層３２の上面に押し当ててパッドに転写されているインクを第１不透光層３２の上面に転写する。これにより、半透光層３１を第１不透光層３２の上面に形成する。
【００７９】
または、いわゆるインモールド成型を用いることによって半透光層３１と第１不透光層３２を第１透光性部３０に形成する。この場合、第２不透光層４２を第２透光性部４０の目視側前面に形成し、第２不透光層４２の上面にハーフミラー層４１を形成する。
【００８０】
具体的には、無色透明で熱可塑性のプラスチックフィルム上に、指標層２３とこの上面に背景層２４、第２不透光層４２とこの上面にハーフミラー層４１、および、第１不透光層３２とこの上面に半透光層３１を予め印刷することによって形成する。この印刷されたフィルムを、金型にインサートした状態で樹脂成型することによって、立ち壁部３と加飾部４を、文字盤２と一体的に形成する。
【００８１】
文字盤２には、図２に示すように、後述するムーブメント５１のシャフト５２を挿通させるための貫通孔２５が設けられ、文字盤２の背後（図２において下側）には、ケース７、ムーブメント５１、発光ダイオード６１−６４、およびプリント基板８が配置される。プリント基板８は、コンビネーションメータ１の電気回路部を形成するものであり、ムーブメント５１と発光ダイオード６１−６４は、プリント基板８に実装される。
【００８２】
ムーブメント５１は、例えば交差コイル式アクチュエータ、あるいはステッピングモータ等から構成され、外部からの電気信号（本実施形態においては車速信号）に対応した角度だけシャフト５２を回動させるものである。シャフト５２は、文字盤２の貫通孔２５を通して目視側（図２において上側）へ延出し、その先端には指針５が固定される。
【００８３】
ケース７は、発光ダイオード６１からの例えば白色光を指針５へ導いて、指針５を発光表示させる。尚、指針５は、白色光によって例えば赤色に発光表示するように形成される。また、ケース７は、発光ダイオード６２からの例えば白色光を文字盤２へ導いて、文字盤２を透過照明させる。
【００８４】
また、ケース７は、発光ダイオード６３からの例えば赤色光を立ち壁部３へ導いて、立ち壁部３を透過照明させる。立ち壁部３を透過した発光ダイオード６３からの光は、加飾部４のハーフミラー層４１で反射して記号３３の虚像３３ａとして目視される。
【００８５】
これにより、各インジケータ／ウォーニングを表す記号３３は、発光ダイオード６３を点燈することによって加飾部４中に虚像３３ａとして目視される。発光ダイオード６３は、図１に示した記号３３毎に設けられ、各発光ダイオード６３は、その隣接した記号３３や文字盤２の文字２１や目盛２２を透過照明しないようにケース７によって遮光される。
【００８６】
また、ケース７は、加飾部４の背後（図２と図３において下側）に配置された発光ダイオード６４からの例えば赤色光を加飾部４へ導いて、加飾部４を透過照明させる。加飾部４を透過した発光ダイオード６４からの光は、記号４３の実像として目視される。
【００８７】
これにより、各インジケータ／ウォーニングを表す記号４３は、発光ダイオード６４を点燈することによって加飾部４中に実像４３として目視される。発光ダイオード６４は、図１に示した記号４３毎に配置され、各発光ダイオード６４は、その隣接した記号４３を透過照明しないようにケース７によって遮光される。
【００８８】
以上説明した本実施形態によるコンビネーションメータ１の電気回路構成について、図４に基づいて説明する。
【００８９】
マイクロコンピュータ等から構成される制御手段である制御装置９には、バッテリ１２から電力が常時供給され、イグニッションスイッチ１１がその操作ポジション（オフポジション、オンポジション）を検出可能に接続され、当該自動車の走行速度を検出する車速センサ１０や図示しないセンサやスイッチ等がそれらの信号を入力可能に接続される。
【００９０】
また、車速センサ１０からの検出信号に応じて制御装置９によって駆動されるムーブメント５１や発光ダイオード６１−６４も、制御装置９に接続される。
【００９１】
制御装置９は、イグニッションスイッチ１１がオンされると発光ダイオード６１、６２を点燈する自発光メータとして構成される。辺りが暗くなった時に発光ダイオード６１、６２を点燈させる構成とすることも可能であるが、以下、自発光メータとして説明する。
【００９２】
尚、制御装置９は、報知しようとするインジケータや警告しようとするウォーニングを表す記号３３，４３に対応する発光ダイオード６３，６４を、点燈する様に構成される。即ち、制御装置９は、当該自動車に備わる機器の作動状態を知らせる場合や当該自動車に関する異常内容を告知する場合に、これを表す記号３３,４３に対応する発光ダイオード６３，６４を点燈させる。
【００９３】
また、制御装置９は、図１において記号３３,４３を重ねて目視させることが可能であるように、重なって目視される記号３３の虚像３３ａと記号４３の実像を、互いに交互に点滅させて目視させるように構成される。具体的に、制御装置９は、重なって目視される記号３３、４３に対応する発光ダイオード６３,６４の点燈・消燈の制御を、互いに交互に行うように構成される。
【００９４】
（作動）
上述したように構成された、本発明の一実施形態によるコンビネーションメータ１の作動について説明する。
【００９５】
イグニッションスイッチ１１がオンされると、図４において、制御装置９は、それを検出して作動を開始する。即ち、速度センサ１０からの出力信号に基づき、当該自動車の車速を算出し、これに対応した角度だけシャフト５２を回動させるように、ムーブメント５１を駆動する。また、制御装置９は、発光ダイオード６１、６２を点燈するが、発光ダイオード６３，６４を消燈している。
【００９６】
点燈した発光ダイオード６１の白色光は、図２において、指針５内に導かれて指針５を赤色に発光表示させる。
【００９７】
点燈した発光ダイオード６２の白色光は、図２において、文字盤２を透過照明し、文字２１と目盛２２を黒色の背景層２４を背景として白色に発光表示させる。
【００９８】
上述したように、立ち壁部３が文字盤２の平坦部に対して略９０度で形成されているため、立ち壁部３は、図１に示すようにほとんど目視されない。また、半透光層３１の透光性は、半透光層３１が発光ダイオード６３の消燈時に半透光層３１の表示色である金属調の状態で目視されるように調整されている。このため、記号３３が加飾部４のハーフミラー層４１で反射して目視されることはない。
【００９９】
加飾部４では、ハーフミラー層４１の透光性は、ハーフミラー層４１が発光ダイオード６４の消燈時にミラー状態で目視されるように調整されている。このため、加飾部４は、図１と図３において、背景層２４の黒色と異なるミラー状態で目視される。これにより、加飾部４は、加飾機能を有効に発揮できる。
【０１００】
一方、制御装置９は、当該自動車に備わる機器の作動状態を知らせる場合や当該自動車に関する異常内容を告知する場合、これに対応する発光ダイオード６３，６４を点燈する。半透光層３１の透光性は、立ち壁部３を透過した発光ダイオード６３からの光が加飾部４で反射して記号３３の虚像３３ａとして目視されるように調整されている。このため、点燈した発光ダイオード６３の赤色光は、図３において光路Ｐ１に従って、第１透光性部３０と半透光層３１とを透過し、この透過光が加飾部４のハーフミラー層４１で目視側へ反射する。これにより、赤色で発光表示された記号３３の虚像３３ａが、ミラー状の加飾部４内で目視される。
【０１０１】
図３（ｂ）に示したように、文字盤２の平坦部に対する記号３３の第１傾斜角度Ａ１は、略９０度に設定され、文字盤２の平坦部に対する記号３３の虚像３３ａの第２傾斜角度Ａ２は、略０度に設定されている。これにより、目視側から見て、目視させる記号３３の虚像３３ａが必要とするスペースに対して、記号３３を略零に等しいスペースに形成することができる。
【０１０２】
また、記号３３の虚像３３ａが加飾部４内で目視されるように構成されているため、記号３３を虚像３３ａとして加飾部４のスペースを有効に利用して目視させることができる。
【０１０３】
ハーフミラー層４１の透光性は、加飾部４を透過した発光ダイオード６４からの光が記号４３の実像として目視されるように調整されている。このため、点燈した発光ダイオード６４の赤色光は、図３において光路Ｐ２に従って、第２透光性部４０とハーフミラー層４１とを透過し、赤色で発光表示された記号４３の実像が、ミラー状の加飾部４内で目視される。
【０１０４】
これにより、加飾部４においてインジケータ／ウォーニングを表す記号３３，４３を表示することができると共に、記号３３，４３の表示を行わない状態において、加飾部４としての加飾機能が損なわないようにすることができる。
【０１０５】
また、記号３３の虚像３３ａと記号４３の実像が、加飾部４内で重なって目視される場合、制御装置９は、これらに対応する発光ダイオード６３,６４の点燈・消燈の制御を、互いに交互に行う。これにより、記号３３の虚像３３ａと記号４３の実像は、赤色で互いに交互に点滅するため、両方を目視することができる。
【０１０６】
尚、上述の例では、第１傾斜角度Ａ１を略９０度に設定し、第２傾斜角度Ａ２を略０度に設定したが、これに限るものではない。第１傾斜角度Ａ１を第２傾斜角度Ａ２より大きく設定する限りにおいて、目視側から見て、目視させる記号３３の虚像３３ａが必要とするスペースと比較して、記号３３をより小さいスペースに形成することができる。これにより、記号３３をより小さいスペースに形成することができるコンビネーションメータ１を提供することができる。
【０１０７】
（変形例）
図５は、図１の第１変形例を示す正面図である。
【０１０８】
図６は、図５中のＶＩ−ＶＩ線断面図である。
【０１０９】
図７は、図６中のＶＩＩ部の拡大断面図である。
【０１１０】
図８（ａ）は、図５中のＶＩＩＩＡ部の拡大断面図であり、図８（ｂ）は、図５と図８（ａ）に示す反射部材である加飾部４の発光表示を説明する模式図である。
【０１１１】
第１変形例では、立ち壁部３と加飾部４は、図５に示すように、１部が欠けたリング状に形成される、即ち、リング状であるが全周に形成されない。また、加飾部４の第２透光性部４０は、図６と図７に示すように、文字盤２の透光性樹脂基板２０と別体で形成される。加飾部４は、図７に示すように、第２透光性部４０とハーフミラー層４１を備え、記号４３として形成される第２開口部４３は、文字盤２の背景層２４に設けられる。
【０１１２】
図８に示すように、第２透光性部４０に光を入射させる第３光源である発光ダイオード６５を設け、加飾部４は、第２透光性部４０に入射した発光ダイオード６５からの光をハーフミラー層４１を通して目視側（図８（ａ）において上側）へ反射するように形成される。具体的に、第２透光性部４０は、発光ダイオード６５からの光を入射させる導光部４４と反射面４５とを備え、点燈した発光ダイオード６５の光は、図８（ａ）に示す光路Ｐ３に従って第２透光性部４０内に導かれ、ハーフミラー層４１を通して目視側へ反射する。
【０１１３】
発光ダイオード６５は、図８（ｂ）において左右両側から光路Ｐ３に従って第２透光性部４０に発光ダイオード６５からの光を入射させるように、左右両側に配置される。また、例えば、緑色光を発する発光ダイオード６５と赤色光を発する発光ダイオード６５と青色光を発する発光ダイオード６５を、それぞれ左右両側に配置する。
【０１１４】
これにより、加飾部４は、緑色光を発する発光ダイオード６５を点燈させることによって緑色で発光表示され、赤色光を発する発光ダイオード６５を点燈させることによって赤色で発光表示され、青色光を発する発光ダイオード６５を点燈させることによって青色で発光表示される。
【０１１５】
また、各記号３３，４３に対応する発光ダイオード６３，６４を、それぞれ、例えば、緑色光を発する発光ダイオード６３，６４と赤色光を発する発光ダイオード６３，６４と青色光を発する発光ダイオード６３，６４とする。
【０１１６】
例えば、図７において、所定の記号３３に対応する発光ダイオード６３が緑色光を発する発光ダイオードである場合、点燈したこの発光ダイオード６３の緑色光は、図７に示す光路Ｐ１に従って目視側（図７において上側）へ反射する。これにより、緑色で発光表示された記号３３の虚像３３ａが目視される。
【０１１７】
また、例えば、所定の記号４３に対応する発光ダイオード６４が青色光を発する発光ダイオードである場合、点燈したこの発光ダイオード６４の青色光は、図７に示す光路Ｐ２に従って目視側へ透過する。これにより、青色で発光表示された記号４３の実像が目視される。
【０１１８】
制御装置９は、全ての発光ダイオード６３，６４の消燈時に発光ダイオード６５を消燈するように構成され、且つ、いずれかの発光ダイオード６３，６４の点燈時に発光ダイオード６５を点燈するように構成され、加飾部４の発光表示の色相が発光表示される記号３３の虚像３３ａまたは記号４３の実像の色相と同一となるように構成される。
【０１１９】
例えば、緑色光を発する発光ダイオード６３を点燈してこれに対応する記号３３の虚像３３ａを緑色で目視させる場合、緑色光を発する発光ダイオード６５を点燈して加飾部４を緑色で発光表示させる。また、青色光を発する発光ダイオード６３を点燈してこれに対応する記号３３の虚像３３ａを青色で目視させる場合、青色光を発する発光ダイオード６５を点燈して加飾部４を青色で発光表示させる。また、赤色光を発する発光ダイオード６３を点燈してこれに対応する記号３３の虚像３３ａを赤色で目視させる場合、赤色光を発する発光ダイオード６５を点燈して加飾部４を赤色で発光表示させる。
【０１２０】
一方、青色光を発する発光ダイオード６４を点燈してこれに対応する記号４３の実像を青色で目視させる場合、青色光を発する発光ダイオード６５を点燈して加飾部４を青色で発光表示させる。また、赤色光を発する発光ダイオード６４を点燈してこれに対応する記号４３の実像を赤色で目視させる場合、赤色光を発する発光ダイオード６５を点燈して加飾部４を赤色で発光表示させる。
【０１２１】
これにより、加飾部４を、インジケータ／ウォーニングを表す記号３３,４３と同じ色相で発光表示させるため、記号３３,４３が表示されていることをより認識させ易くできる。また、加飾部４の発光表示による加飾機能を加飾部４に対して付加させることができる。
【０１２２】
尚、上述の例では、加飾部４の発光表示の色相が発光表示される記号３３の虚像３３ａや記号４３の実像の色相と同一になるように構成したが、これに限るものではない。加飾部４の発光表示の色調（色相、明度、彩度）が発光表示される記号３３の虚像３３ａや記号４３の実像の色調と少なくとも類似するように構成する限りにおいて、上述の効果と同様の効果を得ることができる。
【０１２３】
また、制御装置９を、全ての発光ダイオード６３，６４の消燈時に発光ダイオード６５を点燈するように構成し、且つ、いずれかの発光ダイオード６３，６４の点燈時に発光ダイオード６５を消燈するように構成することも可能である。
【０１２４】
これにより、記号３３の虚像３３ａや記号４３の実像を目視させる場合と、加飾部４の発光表示により加飾する場合とをより明確に区別することができる。これにより、上述の効果に加えて、記号３３，４３が表示されていることをより認識し易くできる。
【０１２５】
尚、この場合、発光ダイオード６５を、例えば、緑色光を発する発光ダイオードや赤色光を発する発光ダイオードや青色光を発する発光ダイオード等により構成する必要はなく、同一色の例えば白色光を発する発光ダイオードにより構成することが可能である。
【０１２６】
図９は、図１の第２変形例を示す正面図である。
【０１２７】
図１０は、図９中のＸ−Ｘ線断面図である。
【０１２８】
第２変形例では、図９に示すように、反射部材である反射部４Ａを、加飾部４の代わりに、文字盤の文字２１や目盛２２より内側に設ける。
【０１２９】
反射部４Ａは、図１０に示すように、第２透光性部４０と、ハーフミラー層４１と、記号４３として第２開口部４３を有する黒色の第２不透光層４２とを備える。立ち壁部３は、図９において反射部４Ａの下側に左右方向へ伸びる直線状に形成される。立ち壁部３は、図１０に示すように、第１透光性部３０と、記号３３として第１開口部３３を有する黒色の第１不透光層３２と、半透光層３１とを備える。
【０１３０】
点燈したこの発光ダイオード６３の光は、光路Ｐ１に従ってハーフミラー層４１のより目視側（図１０において上側）へ反射し、これにより、記号３３の虚像３３ａが目視される。点燈したこの発光ダイオード６４の光は、光路Ｐ２に従って目視側へ透過し、これにより、記号４３の実像が目視される。
【０１３１】
これにより、目視側から見て、目視させる記号３３の虚像３３ａが必要とするスペースに対して、記号３３を略零に等しいスペースに形成することができる。また、記号３３の虚像３３ａを、文字盤において文字２１や目盛２２より内側の未使用のスペースを有効に利用して目視させることができる。
【０１３２】
尚、記号３３の虚像３３ａを目視させるスペースは、上述した例に限るものではない。
【０１３３】
以上説明した本発明による表示装置であるコンビネーションメータ１は、表示板である文字盤２と、第１表示意匠部である記号３３が形成され且つ透光性を有する表示部材である立ち壁部３と、立ち壁部３を透過照明する第１光源である発光ダイオード６３と、立ち壁部３を透過照明した発光ダイオード６３からの光を目視側へ反射することによって記号３３を虚像３３ａとして目視させる反射部材である加飾部４とを備え、文字盤２に対する記号３３の第１傾斜角度Ａ１を、文字盤２に対する記号３３の虚像３３ａの第２傾斜角度Ａ２より大きく設定する。
【０１３４】
これにより、表示意匠部として、第１表示意匠部をより小さいスペースに形成することができる表示装置を提供することができる。
【０１３５】
尚、第１表示意匠部として各インジケータ／ウォーニングを表す記号３３に限る必要はなく、第２表示意匠部として各インジケータ／ウォーニングを表す記号４３に限る必要はない。
【０１３６】
また、本発明は、上述の例に限らず、これらの組み合わせや、他の種々の変形例が考えられる。
【図面の簡単な説明】
【０１３７】
【図１】図１は、本発明の一実施形態による表示装置であるコンビネーションメータ１の正面図である。
【図２】図２は、図１中のＩＩ−ＩＩ線断面図である。
【図３】図３（ａ）は、図２中のＩＩＩＡ部の拡大断面図であり、図３（ｂ）は、図３（ａ）に示す第１表示意匠部である記号３３の配置を説明する模式図である。
【図４】図４は、本発明の一実施形態によるコンビネーションメータ１の電気回路構成を説明する回路構成図である。
【図５】図５は、図１の第１変形例を示す正面図である。
【図６】図６は、図５中のＶＩ−ＶＩ線断面図である。
【図７】図７は、図６中のＶＩＩ部の拡大断面図である。
【図８】図８（ａ）は、図５中のＶＩＩＩＡ部の拡大断面図であり、図８（ｂ）は、図５と図８（ａ）に示す反射部材である加飾部４の発光表示を説明する模式図である。
【図９】図９は、図１の第２変形例を示す正面図である。
【図１０】図１０は、図９中のＸ−Ｘ線断面図である。
【符号の説明】
【０１３８】
１  コンビネーションメータ（表示装置）
２  文字盤（表示板）、２０  透光性樹脂基板、２１  文字（指標）
２２  目盛（指標）、２３  背景層、２４  指標層、２５，２６  貫通孔
３  立ち壁部（表示部材）、３０  第１透光性部、３１  半透光層
３２  第１不透光層、３３  記号（第１表示意匠部、第１開口部）、３３ａ  虚像
４  加飾部（反射部材）、４Ａ  反射部（反射部材）、４０  第２透光性部
４１  ハーフミラー層、４２  第２不透光層、
４３  記号（第２表示意匠部、第２開口部）、４４  導光部、４５  反射面
５  指針、５１  ムーブメント、５２  シャフト、６１、６２  発光ダイオード
６３  発光ダイオード（第１光源）、６４  発光ダイオード（第２光源）
６５  発光ダイオード（第３光源）、７  ケース、８  プリント基板
９  制御装置（制御手段）、１０  車速センサ、１１  イグニッションスイッチ
１２  バッテリ、Ａ１  第１傾斜角度、Ａ２  第２傾斜角度
【図１】
0004725426.tif 000002
【図２】
0004725426.tif 000003
【図３】
0004725426.tif 000004
【図４】
0004725426.tif 000005
【図５】
0004725426.tif 000006
【図６】
0004725426.tif 000007
【図７】
0004725426.tif 000008
【図８】
0004725426.tif 000009
【図９】
0004725426.tif 000010
【図１０】
0004725426.tif 000011